(57)【要約】【課題】重量のある建築用シャッター装置を躯体に取付ける作業を簡略化するとともに、作業時間の短縮を図れるようにする。【解決手段】左右の支持ブラケット３、４を、巻取りドラム５の左右両端部にそれぞれ相対回転自在に支持させるとともに、一方の支持ブラケット３または４に開閉機６を支持してドラムユニットＵを構成し、該ドラムユニットＵをチェーンブロック１７で開口部上方に吊り上げる構成とするが、このとき、前記巻取りドラム５と左右の支持ブラケット３、４との間にそれぞれ姿勢保持装置１０を設けて、左右の支持ブラケット３、４を、巻取りドラム５に対して回転規制して躯体２への取付け姿勢に強制保持した状態で吊り上げる構成とする。【選択図】図２
2010236226.tif 000002
【特許請求の範囲】
【請求項１】
躯体開口部の上部両側に固定される左右の支持ブラケットに、シャッターカーテンが巻装される巻取りドラムの左右両端部を回転自在に支持してなる建築用シャッター装置を設置するにあたり、予め左右の支持ブラケットを、巻取りドラムの左右両端部にそれぞれ相対回転自在に支持させるとともに、一方の支持ブラケットに開閉機を支持してドラムユニットを構成し、前記ドラムユニットの巻取りドラムと左右の支持ブラケットとの間にそれぞれ姿勢保持装置を設けて、左右の支持ブラケットを、巻取りドラムに対して回転規制して躯体への取付け姿勢に強制保持した状態としたものを重機を用いて開口部上方に吊り上げる構成としたことを特徴とする建築用シャッター装置。
【請求項２】
姿勢保持装置は、巻取りドラムの外周に着脱自在で、かつ、回り止め状に固定されるリング体と、該リング体の外周と、支持ブラケットにおける巻取りドラムの支持部外径側部位とを係脱自在に連結する複数の連結体とにより構成されていることを特徴とする請求項１に記載の建築用シャッター装置。
【請求項３】
リング体は、二つ割り状の第一、第二半部で構成される一方、連結体は伸縮自在に構成されていることを特徴とする請求項２に記載の建築用シャッター装置。
【請求項４】
躯体開口部の上部両側に固定される左右の支持ブラケットに、シャッターカーテンが巻装される巻取りドラムの左右両端部を回転自在に支持してなる建築用シャッター装置を設置する方法であって、設置現場に搬送された左右の支持ブラケットを巻取りドラムの左右両端にそれぞれ相対回転自在に支持させ、左右何れか一方の支持ブラケットに開閉機を支持し、巻取りドラムと開閉機とを連動連結してドラムユニットを構成する第一工程と、ドラムユニットの巻取りドラムと左右の支持ブラケットとの間に姿勢保持装置を取付けて、左右の支持ブラケットを、巻取りドラムに対して回転規制して躯体への取付け姿勢に強制保持する第二工程と、ドラムユニットを重機で開口部上方に吊り上げて、支持ブラケットを躯体に固定する第三工程と、ドラムユニットから姿勢保持装置を取外し、巻取りドラムにシャッターカーテンを連結する第四工程とにより構成されていることを特徴とする建築用シャッター装置の取付け方法。
【発明の詳細な説明】
【技術分野】
【０００１】
本発明は、工場や倉庫、ショッピングセンター等の建築物に設けられる建築用シャッター装置およびその取付け方法の技術分野に関するものである。
【背景技術】
【０００２】
一般に、建築用シャッター装置のなかには、広い開口部に設けるもののように、シャッターカーテンの左右幅、上下幅ともに大型化したものがあり、このものでは、シャッターカーテンの重量が重くなることから、シャッターカーテンを巻装する巻取りドラムや、該巻取りドラムを支持する支持ブラケットや、回転駆動する開閉機等の各部材装置も大型で重量の重いものになる。このため、このような重量シャッターを設置するには、高所に設けられる部材をクレーン等の揚重機を用いて行うようにしている。この場合に、吊り上げ作業、高所での組込み作業は重労働であるうえ、不安定な姿勢での作業となって作業が難しく、作業性に劣り長時間を要し、作業期限の規制のあるなかで遅延を招くことなく速やかに設置するのは困難であり、問題となっている。
この改善策として、予め工場において巻取りドラムにシャッターカーテンを巻装し、前記シャッターカーテンが巻装された巻取りドラムの左右両端部に一対のブラケットを回転自在に設け、これらブラケット同士を一体的に連結するとともに、躯体の前面に固定される長尺状の固定部材を組込んで巻取りユニットを形成し、該巻取りユニットを設置現場に搬送し、クレーンにより吊り上げて躯体に固定するように構成することにより、設置箇所における作業を少なくするとともに、クレーンによる吊り上げ作業の回数を少なくして、取付け作業の効率化を図るようにした取付け方法が提唱されている。
【先行技術文献】
【特許文献】
【０００３】
【特許文献１】特開２００７−１１３３４４号公報
【発明の概要】
【発明が解決しようとする課題】
【０００４】
ところが、前記従来のものは、クレーンに吊り上げられる巻取りユニットにおいて、左右一対の支持ブラケットは固定部材とともに巻取りドラムに対して一体回動自在となっているため、巻取りドラム部位を支持してクレーンで吊り上げた状態では、重量の重い固定部材が連結された支持ブラケットが、固定部材を下方に位置させる傾斜した姿勢となり、躯体の前面に沿って固定されるべき固定部材の取付け面が下方を向くことになる。これに対処するため、前記従来のものでは、巻上げ機を固定部材に連結し、巻取りユニットをクレーンにより吊り上げた状態で巻上げ機を操作して、固定部材の取付け面が上下方向を向く姿勢となるように操作してから躯体への固定作業をする手順で取付け作業を行っている。このため、設置作業において充分な作業時間の短縮が図ることができないうえ、クレーンと巻上げ機との両者を巻取りユニットに連結することになるので作業が大がかりになって取付け作業の簡略化が損なわれるという問題がある。また、シャッター装置の大きさによっては、工場で組込まれた巻取りユニットを設置現場に搬送すること自体が困難になる惧れがあるうえ、前記従来のものでは、巻取りユニットを開口部に設置後に開閉機を取付ける構成であるので、高所において巻取りドラムと開閉機とを連動連結する作業を行うので、作業性が劣るばかりでなく、設置現場によっては駆動、従動スプロケットの位置合わせ作業が困難になるという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、躯体開口部の上部両側に固定される左右の支持ブラケットに、シャッターカーテンが巻装される巻取りドラムの左右両端部を回転自在に支持してなる建築用シャッター装置を設置するにあたり、予め左右の支持ブラケットを、巻取りドラムの左右両端部にそれぞれ相対回転自在に支持させるとともに、一方の支持ブラケットに開閉機を支持してドラムユニットを構成し、前記ドラムユニットの巻取りドラムと左右の支持ブラケットとの間にそれぞれ姿勢保持装置を設けて、左右の支持ブラケットを、巻取りドラムに対して回転規制して躯体への取付け姿勢に強制保持した状態としたものを重機を用いて開口部上方に吊り上げる構成としたことを特徴とする建築用シャッター装置である。
請求項２の発明において、姿勢保持装置は、巻取りドラムの外周に着脱自在で、かつ、回り止め状に固定されるリング体と、該リング体の外周と、支持ブラケットにおける巻取りドラムの支持部外径側部位とを係脱自在に連結する複数の連結体とにより構成されていることを特徴とする請求項１に記載の建築用シャッター装置である。
請求項３の発明において、リング体は、二つ割り状の第一、第二半部で構成される一方、連結体は伸縮自在に構成されていることを特徴とする請求項２に記載の建築用シャッター装置である。
請求項４の発明は、躯体開口部の上部両側に固定される左右の支持ブラケットに、シャッターカーテンが巻装される巻取りドラムの左右両端部を回転自在に支持してなる建築用シャッター装置を設置する方法であって、設置現場に搬送された左右の支持ブラケットを巻取りドラムの左右両端にそれぞれ相対回転自在に支持させ、左右何れか一方の支持ブラケットに開閉機を支持し、巻取りドラムと開閉機とを連動連結してドラムユニットを構成する第一工程と、ドラムユニットの巻取りドラムと左右の支持ブラケットとの間に姿勢保持装置を取付けて、左右の支持ブラケットを、巻取りドラムに対して回転規制して躯体への取付け姿勢に強制保持する第二工程と、ドラムユニットを重機で開口部上方に吊り上げて、支持ブラケットを躯体に固定する第三工程と、ドラムユニットから姿勢保持装置を取外し、巻取りドラムにシャッターカーテンを連結する第四工程とにより構成されていることを特徴とする建築用シャッター装置の取付け方法である。
【発明の効果】
【０００６】
請求項１、４の発明とすることにより、高所作業の軽減、簡略化が図れて、作業時間の短縮を図ることができるうえ、精度の高い取付けを行うことができる。
請求項２、３の発明とすることにより、姿勢保持装置の構成が簡略で、地上での取付け作業が容易であるばかりでなく、高所作業となる取外し作業をも容易にできる。
【図面の簡単な説明】
【０００７】
【図１】建築用シャッター装置の正面図である。
【図２】建築用シャッター装置の取付け方法を説明する正面図である。
【図３】姿勢保持装置を説明する一部断面側面図である。
【図４】図４（Ａ）、（Ｂ）はそれぞれ姿勢保持装置を説明する正面図、要部拡大正面図である。
【図５】図５（Ａ）、（Ｂ）、（Ｃ）はそれぞれリング体の側面図、正面図、要部拡大側面図である。
【発明を実施するための形態】
【０００８】
つぎに、本発明の実施の形態について、図面に基づいて説明する。
図面において、１は大開口に建付けられる建築用シャッター装置のシャッターカーテンであって、該シャッターカーテン１は左右方向長尺状のスラット１ａを上下方向に複数連装して構成され、躯体２に固定される左右一対の支持ブラケット３、４に回転自在に軸承された巻取りドラム５に連結されている。そして、左側の支持ブラケット３には開閉機６が設けられており、該開閉機６と前記巻取りドラム５とが連動連結され、開閉機６の正逆駆動に伴う巻取りドラム５の正逆回転により、シャッターカーテン１が巻取りドラム５に対して巻取り、巻出しされ、シャッターカーテン１の左右両側部が、開口部左右両側部を構成する躯体２に配された一対のガイドレール７に移動案内を受ける状態で上下昇降動し、開口部を開閉するように構成されていること等の基本構成は従来通りとなっている。
【０００９】
つぎに、このように躯体２に設けられる建築用シャッター装置の取付け方法について説明する。
まず、工場から、シャッターカーテン１を構成するための複数枚のスラット１ａ、支持ブラケット３、４、巻取りドラム５、開閉機６、ガイドレール７等、建築用シャッター装置を構成するための部材を設置現場に搬送するが、このとき、スラット１ａについて数枚が連結された状態として、支持ブラケット３、４、巻取りドラム５、開閉機６、ガイドレール７についてはそれぞれ個別に搬送することで、それぞれ重量のある部材の搬送が、円滑、かつ、容易に行えるように構成されている。
ここで、前記支持ブラケット３、４は、躯体２への取付け状態において、開口部側を向く内側面３ａ、４ａに、巻取りドラム５の支持部の外径側となる各コーナー部に、予め設定される螺子軸方向の高さ（長さ）を有した高ナット８が溶着されている。
【００１０】
そして、設置現場において荷降ろしされた各部材を用いて建築用シャッター装置の取付けがなされるが、第一工程では、設置現場の地上においてドラムユニットＵを形成するように構成されている。
つまり、地上、あるいは、地上に設置した水平面を有した第一架台９上に、巻取りドラム５を支持する複数の第二架台９ａを載置して、これら第二架台９ａに巻取りドラム５を支持させる一方、左右の支持ブラケット３、４を巻取りドラム５の左右端部にそれぞれ相対回転自在に支持させてドラムユニットＵを構成し、該ドラムユニットＵの左右の支持ブラケット３、４を、躯体開口部への取付け姿勢と同様の姿勢として第一架台９上に載置する状態とするとともに、左右の支持ブラケット３の対向間隔の調整を行う。このとき、左右の支持ブラケット３、４のうち何れか一方の支持ブラケット３または４であって、本実施の形態では、図１において左側の支持ブラケット３に、開閉機６が固定された開閉機用ブラケット６ａが固定されており、前記組込み作業の過程において、開閉機６に設けられる駆動スプロケット６ｂと、巻取りドラム５に連動連結される従動スプロケット５ａとの位置合わせ（芯出し）がなされるように構成されている。このように、ドラムユニットＵを形成する第一工程の作業であって、左右の支持ブラケット３、４を巻取りドラム５に組込む作業、左右の支持ブラケット３、４の対向間隔を調整する作業、駆動、従動スプロケット６ｂ、５ａの位置合わせの作業をそれぞれ地上で実施するように構成することにより、作業者が安定した姿勢で作業することができて、作業者の負担を軽減できるばかりでなく、スプロケット６ｂ、５ａの位置合わせ作業の精度を向上させることができ、しかも、これらの作業に要する時間を短縮することができるように構成されている。
【００１１】
続く第二工程は、ドラムユニットＵの巻取りドラム５の左右両端部と、左右一対の支持ブラケット３、４との間にそれぞれ姿勢保持装置１０を設ける工程であり、これによって、左右一対の支持ブラケット３、４を、巻取りドラム５に対して回転規制して、躯体２に固定される姿勢に強制的に保持した状態となるように構成されている。
尚、姿勢保持装置１０は左右一対のものが用いられるが、これら一対は同様のものであり、ここでは図３、４に示す左側の支持ブラケット３と巻取りドラム５の左側端部との間に設けた姿勢保持装置１０について詳述する。
前記姿勢保持装置１０は、巻取りドラム５に対して回り止め状に外嵌装着されるリング体１１と、該リング体１１と左側の支持ブラケット３との間を連結する複数の連結体１２とにより構成されている。前記リング体１１は、所定の板幅、板厚を有したプレート体を半円状に折曲して形成される一対の半割り体である第一、第二半部１１ａ、１１ｂを用いて構成されており、これら第一、第二半部１１ａ、１１ｂの内径寸法は、巻取りドラム５の外径よりも僅かに大きく設定されている。また、第一、第二半部１１ａ、１１ｂの周回り方向両端部には、放射方向に沿って外径側に突出する連結片部１１ｃがそれぞれ形成されており、第一、第二半部１１ａ、１１ｂ同士は、周回り方向二箇所において連結片部１１ｃ同士を突当て、これら連結片部１１ｃ同士をボルト１１ｄとナット１１ｅとにより螺着することによりリング状のリング体１１となるように構成されている。
そして、第一、第二半部１１ａ、１１ｂの外周には、それぞれ放射方向に突出し、貫通孔１１ｆが開設されたフック受け片１１ｇが溶着等の手段により一体的に設けられており、これらフック受け片１１ｇは、第一、第二半部１１ａ、１１ｂを連結片部１１ｃ同士の連結によりリング体１１とした状態で、周回り方向に略９０度の角度間隔を存するように配設されている。
【００１２】
一方、前記連結体１２は、左側の支持ブラケット３の巻取りドラム５を支持する部位の外径側部位であって、左側の支持ブラケット３のコーナー部にそれぞれ設けられた高ナット８に螺着される後述のアイボルト１３と、リング体１１の外周に設けられたフック受け片１１ｇとを連結するように構成されており、リング体１１に対して四つの連結体１２が用いられている。各連結体１２は、それぞれ一端部にフック部１４ａが形成され、互いに逆方向を向く螺子溝１４ｂが刻設された一対の長ボルト１４と、これら長ボルト１４の螺子溝１４ｂが両端部に螺合するターンバックル１５とにより構成されている。これによって、連結体１２は長尺状のターンバックル１５の長尺方向両端部から長尺方向両側に向けて長ボルト１４が延出し、該延出する長ボルト１４の端部にそれぞれフック部１４ａが形成されたものに構成され、これら長ボルト１４に対してターンバックル１５を適宜正逆回転させることにより、フック部１４ａ同士の対向間隔（連結体１２の長尺方向長さ）を伸縮自在に調整できるように構成されている。
【００１３】
そして、第二工程において姿勢保持装置１０を設ける場合では、予め分割されている第一、第二半部１１ａ、１１ｂの内周面に回り止め部材としてゴム質弾性材で構成される帯状のスペーサ１６を積層し、これら第一、第二半部１１ａ、１１ｂを、前記第二架台９ａ上に支持される巻取りドラム５の左右両端部にそれぞれ外嵌させる。そして、第一、第二半部１１ａ、１１ｂの周回り方向二箇所において互いに突当てられている連結片部１１ｃ同士を、ボルト１１ｄとナット１１ｅとにより緊締することで、第一、第二半部１１ａ、１１ｂ同士がリング体１１となって巻取りドラム５に巻き締められる状態とする。このとき、各リング体１１は、巻取りドラム５との間にスペーサ１６が介装された状態で巻き締められており、これによって、各リング体１１と巻取りドラム５とが回り止めされた状態となって相対回転することがないように構成されている。また、この組込み状態において、リング体１１の外周に放射方向に突出配設されるフック受け片１１ｇは、それぞれの突出方向が支持ブラケット３、４のコーナー部に向く位置となるように設定されている。
一方、巻取りドラム５に支持される左右の支持ブラケット３、４の内側面３ａ、４ａに溶着されている各四つの高ナット８に、それぞれアイボルト１３を螺合するが、これらアイボルト１３は、一端部にリング状のフック受け片１３ａが形成されている。このとき、前記高ナット８の長さはアイボルト１３の軸部１３ｂの長さよりも長く設定されていて、アイボルト１３は、高ナット８に対して確実な緊締がなされるように構成されている。
【００１４】
続いて、各姿勢保持装置１０において、四つの連結体１２の一方の長ボルト１４のフック部１４ａを、リング体１１外周の四つのフック受け片１１ｇにそれぞれ引っ掛ける一方、他方の長ボルト１４のフック部１４ａを、左右の支持ブラケット３、４の内側面３ａ、４ａに螺着されたアイボルト１３のフック受け片１３ａに引っ掛けて、連結体１２により左右のリング体１１と左右の支持ブラケット３、４との間をそれぞれ連結した状態とする。この状態から、各連結体１２のターンバックル１５をフック部１４ａ同士を近接させる方向に回転させて、各連結体１２の長尺方向の長さを短縮して、リング体１１と支持ブラケット３、４の各コーナー部との間を緊張状態とする。これによって、支持ブラケット３、４は、巻取りドラム５に回り止め状に設けられたリング体１１を介して回転規制された状態となって、躯体２に取付けられる姿勢（躯体２への取付け姿勢）が強制的に保持されたドラムユニットＵとなるように構成されている。このとき、左右の支持ブラケット３、４は、第一架台９上に載置される起立姿勢、さらには、巻取りドラム５に対して垂直となる姿勢が強制保持されるように調整されるが、該調整作業は、ターンバックル１５の調整に基づいてなされるものであり、この作業を地上の安定した状態で行うことにより、作業負担が軽減されるうえ、精度の高い調整が行えるように構成されている。
【００１５】
そして、第三工程は、支持ブラケット３、４が躯体２への取付け姿勢に保持されたドラムユニットＵを躯体２に固定する工程であり、この場合に、本実施の形態では、揚重機として、一対のチェーンブロック１７が用いられており、各チェーンブロック１７のチェーン１７ａの一端部に形成される輪状の吊持部１７ｂを巻取りドラム５の左右端部に懸け回し、該チェーンブロック１７を操作してドラムユニットＵを所定の高さに引き上げ、その後、ドラムユニットＵの前後方向の位置を適宜調整し、左右の支持ブラケット３、４を躯体２に固定する作業を行う。このとき、支持ブラケット３、４は、各姿勢保持装置１０により第一架台９上に載置されたままの躯体２への取付け姿勢に強制的に保持された状態で上動しており、これによって、左右の支持ブラケット３、４を躯体２に固定する場合に、支持ブラケット３、４の巻取りドラム５に対する回転姿勢を変化させるような作業をすることなく固定作業をすることができて、高所での作業を軽減できるように構成されている。しかも、左側の支持ブラケット３には開閉機６が設けられ、開閉機６側の駆動スプロケット６ｂと巻取りドラム５側の従動スプロケット５ａとが位置合わせされた状態となっているので、高所での調整が不要になって、高所での作業をさらに軽減することができるように構成されている。
【００１６】
続く第四工程は、姿勢保持装置１０を取外し、シャッターカーテン１を巻取りドラムに連結する工程であるが、姿勢保持装置１０を取外す工程では、まず、左右の支持ブラケット３、４とリング体１１とを連結する連結体１２を取外すが、この場合に、ターンバックル１５を回転させてフック部１４ａ同士の対向間隔を離間させて連結体１２の長尺方向の長さを伸長することで、連結体１２を容易に取外せるように構成されている。続いて、リング体１１を取外すが、ボルト１１ｄからナット１１ｅを外すことにより第一、第二半部１１ａ、１１ｂを巻取りドラム５から容易に取外すことができるように構成されている。そして、左右の支持ブラケット３、４に溶着される高ナット８からアイボルト１３を取外すことで姿勢保持装置１０の取外し作業が完了するが、高ナット８は、溶着されたままであっても左右の支持ブラケット３、４に何ら支障はなく、本実施の形態では、支持ブラケット３、４に溶着されたままとなっている。尚、姿勢保持装置１０は開口部上方の高所において取外し作業をすることになるが、前述したよう取外し作業が容易で、作業性を損なうことがないように配慮されている。
続いて、巻き取りドラム５にスラット１ａを連結してシャッターカーテン１を形成するとともに、ガイドレール７を立設するが、これらの工程は汎用の手法に基づいてなされるものであり、ここでの説明は省略する。
【００１７】
叙述の如く構成された本形態において、第一工程では、設置現場に個別に搬送された部品を地上において組立てるが、各部材が個別に搬送されることにより、部材が重量化されても設置現場への搬送が容易になる。そして、設置現場の地上において、巻取りドラム５に、躯体２への取付け姿勢とした左右の支持ブラケット３、４を組込むとともに、左側の支持ブラケット３に開閉機６を組込み、巻取りドラム５と開閉機６との連動連結をしてドラムユニットＵを形成するようにしたので、作業者が安定した姿勢で作業することができて、作業性よく組込み作業が行えて作業時間の短縮を図れる。そのうえ、第二工程において、巻取りドラム５と左右の支持ブラケット３、４との間に姿勢保持装置１０を設けて、左右の支持ブラケット３、４を巻取りドラム５に対して回転規制して躯体２への取付け姿勢に強制保持された状態として開口部上方に吊り上げるようにしたので、高所において左右の支持ブラケット３、４を巻取りドラム５に対して回転させる等の姿勢調整が一切不要になって、高所作業の軽減、簡略化が図れて、作業時間のさらなる短縮を果すことができる。
さらにこの場合に、地上において、予め左右の支持ブラケット３、４の対向間隔の調整や、巻取りドラム５に対する姿勢等の姿勢調整、さらには、開閉機６の駆動スプロケット６ｂと巻取りドラム５の従動スプロケット５ａとの位置決めを行えるので、精度の高い位置決め作業をすることができて、建築用シャッター装置の信頼性を一層向上させることが可能となる。
【００１８】
このように、本発明が実施されたものにあっては、ドラムユニットＵを地上で組込み、かつ、左右の支持ブラケット３、４を、巻取りドラム５に対して回転規制して躯体２への取付け姿勢として吊り上げる構成として、高所作業が簡略化されて、作業時間が短縮し、しかも、信頼性の高い建築用シャッター装置を提供できるようにしたものであるが、左右の支持ブラケット３、４の姿勢を保持する姿勢保持装置１０は、着脱自在なリング体１１と、伸縮自在な連結体１２とにより構成されているので、構成が簡略であり、地上での取付け作業が容易になるばかりでなく、高所作業となる取外し作業を容易にすることができて、作業性を損なうことがない。
【産業上の利用可能性】
【００１９】
本発明は、工場や倉庫、ショッピングセンター等の大型の建築物に建築用シャッター装置を設ける場合に利用することができる。
【符号の説明】
【００２０】
１  シャッターカーテン
１ａ  スラット
２  躯体
３  支持ブラケット
５  巻取りドラム
６  開閉機
８  高ナット
９  第一架台
１０  姿勢保持装置
１１  リング体
１１ａ  第一半部
１１ｃ  連結片部
１１ｇ  フック受け片
１２  連結体
１４  長ボルト
１５  ターンバックル
１６  スペーサ
１７  チェーンブロック
【図１】
2010236226.tif 000003
【図２】
2010236226.tif 000004
【図３】
2010236226.tif 000005
【図４】
2010236226.tif 000006
【図５】
2010236226.tif 000007